(57)【要約】【課題】  インターフェースの本数を削減するとともに、メインパネルおよびサブパネルとして使用するパネルの選択の自由度を高める電気光学装置、およびこれを備えた電子機器を提供する。【解決手段】  第１の表示パネルと、第２の表示パネルと、第１の表示パネルを駆動する第１の駆動手段と、第２の表示パネルを駆動する第２の駆動手段とを備え、第１の駆動手段が第１の表示パネルおよび第２の表示パネルの表示データを入力するインターフェース回路と、入力した表示データを第１の表示パネルの表示データと第２の表示パネルの表示データとに分離する表示データ分離手段と、分離された第２の表示パネルの表示データを第２の駆動手段に出力する表示データ出力手段とを備える。【選択図】        図２
2007108268.tif 000002
【特許請求の範囲】
【請求項１】
第１の表示パネルと、第２の表示パネルと、前記第１の表示パネルを駆動する第１の駆動手段と、前記第２の表示パネルを駆動する第２の駆動手段とを備えた電気光学装置であって、
前記第１の駆動手段が、前記第１の表示パネルおよび前記第２の表示パネルへの表示データを入力するインターフェース手段と、
入力した前記表示データを前記第１の表示パネルの表示データと前記第２の表示パネルの表示データとに分離する表示データ分離手段と、
該表示データ分離手段において分離された前記第２の表示パネルの表示データを前記第２の駆動手段に出力する表示データ出力手段と、
を備えたことを特徴とする電気光学装置。
【請求項２】
前記インターフェース手段に入力される前記表示データが高速シリアルデータであることを特徴とする請求項１に記載の電気光学装置。
【請求項３】
前記第２の駆動手段に出力される前記第２の表示パネルの表示データがシリアルデータであることを特徴とする請求項１又は２に記載の電気光学装置。
【請求項４】
前記第１の表示パネルと前記第２の表示パネルとの表示方式が異なることを特徴とする請求項１乃至３のいずれかに記載の電気光学装置。
【請求項５】
請求項１から４のいずれか一項に記載の電気光学装置を備えたことを特徴とする電子機器。
【発明の詳細な説明】
【技術分野】
【０００１】
本発明は、電気光学装置および電子機器に関し、特にメインパネルとサブパネルとを備えた電気光学装置および電子機器に関するものである。
【背景技術】
【０００２】
現在、携帯電話機、携帯情報端末機等の電子機器に液晶表示装置等といった電気光学装置が広く使用されている。こうした電気光学装置は、電子機器に関する各種の情報を文字、数字、図形等といった画像の形で表示するものであり、一般に、液晶パネル等といった電気光学パネルと、その電気光学パネルに接続されるＦＰＣ（Ｆｌｅｘｉｂｌｅ  Ｐｒｉｎｔｅｄ  Ｃｉｒｃｕｉｔ）基板等といった配線基板とを備えている。
【０００３】
また、近年、携帯電話機等の携帯用電子機器においては、例えば画像情報表示用として高精細のカラー表示が可能なメイン液晶パネルと、メイン液晶パネルよりも小型で日付、時計等の簡易な表示が可能なサブ液晶パネルとを表示部の両面に備えたものが提供されている。このようなメイン、サブの２つの液晶パネルを備えた液晶モジュールが携帯機器に用いられる際には、携帯機器が上側筺体と下側筺体とで構成される、折りたたみ式、回転式あるいはスライド式等の構造を有することから、携帯機器内のベースバンドプロセッサやアプリケーションプロセッサといった制御部と液晶モジュール間のインターフェースはできる限り少なくすることが要求される。
【０００４】
そのため、１個の駆動用ドライバーを２つの液晶パネルで共有化し、この駆動用ドライバーから供給する信号で２つの液晶パネルを駆動するものが提案されている（例えば、特許文献１参照）。
【特許文献１】特開２００３−３２３１６４号公報
【発明の開示】
【発明が解決しようとする課題】
【０００５】
確かに、上述したような従来の液晶装置では、駆動用ドライバーを共用化することにより、携帯機器の制御部と液晶モジュール間のインターフェースにかかわる接続ピン数を削減することが可能となる。しかし、上述したような従来の液晶装置では、駆動用ドライバーを共用化するために、メイン液晶パネルとサブ液晶パネルの表示方式を同一のものにする必要がある。つまり、携帯機器の仕様に応じて、例えば、メインパネルには画質を優先するＴＦＴ（Ｔｈｉｎ  Ｆｉｌｍ  Ｔｒａｎｓｉｓｔｏｒ）を採用し、サブパネルにはコストを重視してＣＳＴＮを採用するといった選択肢がないという問題がある。
【０００６】
そこで、本発明は、上記の課題に鑑みてなされたものであって、インターフェースの本数を削減するとともに、メインパネルおよびサブパネルとして使用するパネルの選択の自由度を高める電気光学装置、およびこれを備えた電子機器を提供することを目的とする。
【課題を解決するための手段】
【０００７】
上記の課題を解決するために、本発明は、以下の事項を提案している。
本発明は、第１の表示パネルと、第２の表示パネルと、前記第１の表示パネルを駆動する第１の駆動手段と、前記第２の表示パネルを駆動する第２の駆動手段とを備えた電気光学装置であって、前記第１の駆動手段が、前記第１の表示パネルおよび前記第２の表示パネルへの表示データを入力するインターフェース手段と、入力した前記表示データを前記第１の表示パネルの表示データと前記第２の表示パネルの表示データとに分離する表示データ分離手段と、該表示データ分離手段において分離された前記第２の表示パネルの表示データを前記第２の駆動手段に出力する表示データ出力手段と、を備えたことを特徴とする電気光学装置を提案している。
【０００８】
本発明によれば、第１の駆動手段が第１の表示パネルおよび第２の表示パネルの表示データを、例えば、携帯機器内のベースバンドプロセッサやアプリケーションプロセッサといった制御部から入力し、入力した表示データを第１の表示パネル用データと第２の表示パネル用データに分離して、分離した第２の表示パネル用データを第２の駆動手段に供給する。したがって、従来、携帯機器内のベースバンドプロセッサやアプリケーションプロセッサといった制御部から第１の駆動手段および第２の駆動手段に個別に出力されていた表示データに関するインターフェース信号のうち、第２の駆動手段に個別に出力されていた表示データに関するインターフェース信号を削減できる。また、第１の表示パネルおよび第２の表示パネルには、それぞれ独立した第１の駆動手段および第２の駆動手段が設けられた構成となっているため、使用するパネルの選択に関して自由度を高めることができる。すなわち、第１の表示パネルおよび第２の表示パネルには、いずれもパッシブマトリクス方式やアクティブマトリクス方式の液晶パネル等を適宜、機器の仕様に応じて選択することができ、これらはカラー表示を行うものであっても良いし、白黒表示を行うものであっても良い。
【０００９】
また、本発明において、前記インターフェース手段に入力される前記表示データが高速シリアルデータであることが望ましい。
【００１０】
この発明によれば、例えば、携帯機器内のベースバンドプロセッサやアプリケーションプロセッサといった制御部等から供給される表示データが高速シリアルデータであることから、パラレルデータによるインターフェースや通常のシリアルデータによるインターフェースに比べて、さらに、インターフェースに必要な信号ラインを削減することができる。なお、ここで、高速シリアルデータとは、例えば、差動伝送方式で５０ＭＨｚ以上の周波数で動作するものをいう。
【００１１】
また、本発明において、前記第２の駆動手段に出力される前記第２の表示パネルの表示データがシリアルデータであることが望ましい。
【００１２】
この発明によれば、第２の駆動手段に出力される前記第２の表示パネルの表示データをシリアルデータとすることにより、第１の駆動手段と第２の駆動手段とのインターフェースラインを削減できる。
【００１３】
また、本発明において、前記第１の表示パネルと前記第２の表示パネルとの表示方式が異なることが望ましい。これにより、例えば、製品の仕様に応じて、第１の表示パネルと第２の表示パネルの種類を自由に選択することができる。
【００１４】
本発明の電子機器は、上記本発明の電気光学装置を備えたことを特徴とする。
この発明によれば、第１の駆動手段と第２の駆動手段とのインターフェースに必要な信号ラインを必要最低限にするとともに、使用するパネルの選択に関して自由度を高めた電子機器を提供することができる。
【発明を実施するための最良の形態】
【００１５】
以下、本発明の実施の形態について図１から図５を参照して説明する。
本実施形態に係る電気光学装置（液晶モジュール）は、図１に示すように、メイン用ドライバーＩＣ（第１の駆動手段に相当）１と、メインＬＣＤパネル（第１の表示パネルに相当）２と、サブ用ドライバーＩＣ（第２の駆動手段に相当）３と、サブＬＣＤパネル（第２の表示パネルに相当）４とから構成されている。
【００１６】
メイン用ドライバーＩＣ１は、例えば、携帯機器内のベースバンドプロセッサやアプリケーションプロセッサといった制御部から表示データに関するデータ信号やストローブ信号等を入力し、いわゆるハンドシェーク通信を行う。また、入力したデータ信号に基づいてメインＬＣＤパネル２に対する書き込み信号を生成する。さらに、入力した信号に含まれるサブ用ドライバーＩＣ３用のデータ信号を分離して、この信号をサブ用ドライバーＩＣ３に出力する。なお、携帯機器内のベースバンドプロセッサやアプリケーションプロセッサといった制御部から入力するデータ信号は高速シリアル信号であり、メイン用ドライバーＩＣ１がサブ用ドライバーＩＣ３に出力する信号は、例えば、データ信号、クロック信号、チップセレクト信号からなる３線のシリアル信号が用いられている。
【００１７】
メインＬＣＤパネル２は、ＴＦＴ等の画面サイズの大きい液晶パネルで構成されており、メイン用ドライバーＩＣ１から出力される書き込み信号に従って、画像や文字、図形等を表示する。なお、メインＬＣＤパネル２は、パッシブマトリクス方式の液晶パネルでも、アクティブマトリクス方式の液晶パネル等でもよく、カラー表示を行うものであっても良いし、白黒表示を行うものであっても良い。
【００１８】
サブ用ドライバーＩＣ３は、メイン用ドライバーＩＣ１から供給されたデータ信号、クロック信号、チップセレクト信号からなる３線シリアル信号からサブＬＣＤパネル４に供給する書き込み信号を生成する。
【００１９】
サブＬＣＤパネル４は、ＣＳＴＮ等の液晶パネルで構成され、一般に、その画面サイズもメインＬＣＤパネル２に比べて小さい。サブＬＣＤパネル４は、サブ用ドライバーＩＣ３から出力される書き込み信号に従って、画像や文字、図形等を表示する。なお、メインＬＣＤパネル２は、パッシブマトリクス方式の液晶パネルでも、アクティブマトリクス方式の液晶パネル等でもよく、カラー表示を行うものであっても良いし、白黒表示を行うものであっても良い。
【００２０】
メイン用ドライバーＩＣ１は、図２に示すように、インターフェース回路（インターフェース回路に相当）１０と、データ信号分離回路（表示データ分離手段に相当）２０と、ドライバー回路３０と、タイミング生成回路（表示データ出力手段に相当）４０とから構成されている。
【００２１】
インターフェース回路は、例えば、携帯機器内のベースバンドプロセッサやアプリケーションプロセッサといった制御部からシリアルデータを入力し、この信号をデータ信号分離回路２０に出力する回路であり、シリアルポートである入力ポートと出力ポートとを備えている。
【００２２】
データ信号分離回路２０は、例えば、携帯機器内のベースバンドプロセッサやアプリケーションプロセッサといった制御部から入力したメインＬＣＤパネル２用の表示データとサブＬＣＤパネル４用の表示データからそれぞれの表示データを分離する。分離の方法は、例えば、入力したシリアルデータのデータ信号の前に設けられたヘッダ情報等により、後続するデータ信号の供給先を識別する。こうして、分離された表示データは、それぞれドライバー回路３０あるいはタイミング生成回路４０に出力される。
【００２３】
ドライバー回路３０は、データ信号分離回路２０から入力した、いわゆるメインＬＣＤパネル２用の表示データに基づいて、メインＬＣＤパネル２への書き込み信号を生成する。
【００２４】
タイミング生成回路４０は、データ信号分離回路２０から入力した、いわゆるサブＬＣＤパネル４用の表示データに対して、サブＬＣＤパネル４に対応したライトサイクル（ＡＣタイミング）に応じたタイミングを生成し、生成したタイミングに応じてサブＬＣＤパネル４用の表示データをクロック信号、チップセレクト信号とともにシリアル信号で出力する。
【００２５】
次に、図３および図４を用いて、本実施形態に係る電気光学装置（液晶モジュール）の全体構成について説明する。
本実施形態に係る電気光学装置（液晶モジュール）の全体構成は、図３の斜視図に示すように、メインＬＣＤパネル２と、サブＬＣＤパネル４と、これらの間に配置されたバックライト５１と、メインＬＣＤパネル２とサブＬＣＤパネル４とを接続するフレキシブル基板５２と、メインＬＣＤパネル２上に実装されたメイン用ドライバーＩＣ１と、サブＬＣＤパネル４上に実装されたサブ用ドライバーＩＣ３（図示せず）と、メイン用ドライバーＩＣ１に外部から信号を供給するためのフレキシブル基板５３とから概略構成されている。
【００２６】
この電気光学装置（液晶モジュール）は、例えば携帯電話機等の表示部の両面で表示を行う用途に用いられるものであり、メインＬＣＤパネル２は図３における上側が視認側であり、サブＬＣＤパネル３は図３における下側が視認側である。
【００２７】
図４は、図３の概略展開図であり、メインＬＣＤパネル２とサブＬＣＤパネル４との接続状態を示している。同図（ａ）において、メイン用ドライバーＩＣ１に接続されているフレキシブル基板には、例えば、携帯機器との接点６１と、サブ用ドライバーＩＣ３に接続されているフレキシブル基板との接点とが設けられている。こうした構成とすることにより、接点６１における接続端子数を削減しつつ、サブＬＣＤパネル４を適切に駆動することができる。
【００２８】
図４（ｂ）は、図４（ａ）の変形例であり、メイン用ドライバーＩＣ１に接続されているフレキシブル基板上には、サブ用ドライバーＩＣ３に接続されているフレキシブル基板との直接的な接点を設けず、他の基板６２を介して、サブ用ドライバーＩＣ３に信号を供給する構成を示している。この場合も、接点６１における接続端子数を削減しつつ、サブＬＣＤパネル４を適切に駆動することができる。
【００２９】
したがって、本実施形態によれば、従来、メイン用ドライバーＩＣ１およびサブ用ドライバーＩＣ３に個別に出力されていた表示データに関するインターフェース信号のうち、サブ用ドライバーＩＣ３に個別に出力されていた表示データに関するインターフェース信号を削減できる。また、メインＬＣＤパネル２およびサブＬＣＤパネル４には、それぞれ独立したメイン用ドライバーＩＣ１およびサブ用ドライバーＩＣ３が設けられた構成となっているため、使用するパネルの選択に関して自由度を高めることができる。
【００３０】
次に、図５を用いて、上記実施形態の電気光学装置（液晶モジュール）を備えた電子機器の例について説明する。
図５は、電子機器の一例である回転式の携帯電話を示した斜視図である。図５に示すように、携帯電話３００は、上側筺体３０１と、下側筺体３０２と、複数の操作ボタンが設けられた操作部３０３、画像や動画、文字等を表示する表示部３０４と、音声を集音するマイク３０５と、音声を発音するスピーカ３０６と、アンテナ３０７とを備えている。表示部３０４には上記実施形態に係る液晶モジュールが搭載されており、実線で示す表面側がメインＬＣＤパネル２となり、破線で示す裏面側がサブＬＣＤパネル４となる。
【００３１】
図５に示した電子機器は、上記実施形態の電気光学装置（液晶モジュール）を用いた液晶表示部を備えているので、電子機器本体と電気光学装置（液晶モジュール）間のインターフェースラインを従来よりも削減し、かつ、使用するパネルの選択に関して自由度のある電子機器を実現することができる。
【００３２】
以上、この発明の実施形態を、図面を参照して詳述してきたが、具体的な構成はこの実施形態に限られるものではなく、この発明の要旨を逸脱しない範囲の構成等も含まれることは言うまでもない。例えば、本実施形態においては、電子機器本体と電気光学装置との間のインターフェースをシリアルデータによるデータ転送として説明したが、パラレルデータによるデータ転送であってもよい。この場合においても、サブＬＣＤパネル用のデータ信号を電子機器本体側とのインターフェースラインに含めない構成となることから、従来よりもインターフェースラインを削減できる。
【００３３】
また、本実施形態においては、メイン用ドライバーＩＣ側にインターフェース回路やデータ信号分離回路、タイミング生成回路を備える構成について説明したが、サブＬＣＤパネルのサイズがメインＬＣＤパネルのサイズと同等以上である場合には、サブ用ドライバーＩＣ側にインターフェース回路やデータ信号分離回路、タイミング生成回路を設けて、メインＬＣＤパネル用のデータをメイン用ドライバーＩＣ側に供給するよう構成してもよい。この場合においても、メインＬＣＤパネル用のデータ信号を電子機器本体側とのインターフェースラインに含めない構成となることから、従来よりもインターフェースラインを削減できる。
【図面の簡単な説明】
【００３４】
【図１】本実施形態に係る電気光学装置の構成図である。
【図２】本実施形態に係るメイン用ドライバーＩＣの構成図である。
【図３】本実施形態に係る電気光学装置の全体構成を示す斜視図である。
【図４】本実施形態に係る電気光学装置の全体構成を示す展開図である。
【図５】本実施形態に係る電子機器の一例を示す斜視図である。
【符号の説明】
【００３５】
１・・・メイン用ドライバーＩＣ（第１の駆動手段）、２・・・メインＬＣＤパネル（第１の表示パネル）、３・・・サブ用ドライバーＩＣ（第２の駆動手段）、４・・・サブＬＣＤパネル（第２の表示パネル）、１０・・・インターフェース回路（インターフェース回路）、２０・・・データ信号分離回路（表示データ分離手段）、３０・・・ドライバー回路、４０・・・タイミング生成回路（表示データ出力手段）、３００・・・携帯電話、３０１・・・上側筺体、３０２・・・下側筺体、３０３・・・操作部、３０４・・・表示部、３０５・・・マイク、３０６・・・スピーカ、３０７・・・アンテナ
【図１】
2007108268.tif 000003
【図２】
2007108268.tif 000004
【図３】
2007108268.tif 000005
【図４】
2007108268.tif 000006
【図５】
2007108268.tif 000007